【手続補正書】
【提出日】平成15年3月19日(2003.3.19)
【手続補正１】
【補正対象書類名】明細書
【補正対象項目名】特許請求の範囲
【補正方法】変更
【補正の内容】
【特許請求の範囲】
【請求項１】
金属酸化物、リン酸塩、反応性残留物質及び水との反応生成物を含んでいる複合材料。
【請求項２】
金属酸化物は複数の金属酸化物組成物を含んでいる請求項１の複合材料。
【請求項３】
金属酸化物組成物は異なる反応性を有している請求項２の複合材料。
【請求項４】
金属酸化物は、粗粒子サイズ分布と微粒子サイズ分布を有している請求項１の複合材料。
【請求項５】
金属酸化物は、ＭｇＯ、ＣａＯ、ＺｎＯ、ＴｉＯ２、Ａｌ２Ｏ３、ＳｉＯ２、酸化鉄、ＭｎＯ２及び／又はＢ２Ｏ３を含んでいる請求項１の複合材料。
【請求項６】
金属酸化物はＭｇＯを含んでいる請求項１の複合材料。
【請求項７】
ＭｇＯは、異なる粒子サイズ分布を有するＭｇＯの混合物を含んでいる請求項６の複合材料。
【請求項８】
ＭｇＯは、異なる反応性を有するＭｇＯの混合物を含んでいる請求項６の複合材料。
【請求項９】
ＭｇＯは、純度が約５０〜９８％である請求項６の複合材料。
【請求項１０】
リン酸塩は複数のリン酸塩組成物を含んでいる請求項１の複合材料。
【請求項１１】
リン酸塩は、粗粒子サイズ分布と微粒子サイズ分布を含んでいる請求項１の複合材料。
【請求項１２】
リン酸塩は、リン酸一カリウム、リン酸一アンモニウム、リン酸一ナトリウム、ヘキサメタリン酸塩、リン酸二カリウム、リン酸二水素カリウム及び／又はリン酸二アンモニウムを含んでいる請求項１の複合材料。
【請求項１３】
リン酸塩は、純度が約３０〜約８５％である請求項１の複合材料。
【請求項１４】
金属酸化物とリン酸塩の重量比は約０．８：１乃至約２：１である請求項１の複合材料。
【請求項１５】
金属酸化物はＭｇＯを含み、リン酸塩はリン酸一カリウムを含んでいる請求項１４の複合材料。
【請求項１６】
反応性残留物質は、飛灰、石炭灰、ＣａＯしゅんせつ物、カルシウム含有物質、都市廃棄物灰、リン酸塩スラリー、汚泥灰、ブレーキシューダスト、火山灰、燃焼排ガス脱硫残留物及び／又は採鉱残留物質を含んでいる請求項１の複合材料。
【請求項１７】
反応性残留物質は飛灰を含んでいる請求項１の複合材料。
【請求項１８】
飛灰は、金属酸化物、リン酸塩及び反応性残留物質の合計量の約１５〜約７０重量％である請求項１７の複合材料。
【請求項１９】
反応性残留物質はリン酸塩スラリーを含み、該リン酸塩スラリーは、金属酸化物、リン酸塩及び反応性残留物質の合計量の約５〜約８０重量％である請求項１の複合材料。
【請求項２０】
反応性残留物質はＣａＯを含み、該ＣａＯは、金属酸化物、リン酸塩及び反応性残留物質の合計量の約５〜約７０重量％である請求項１の複合材料。
【請求項２１】
複合材料は、反応時間が約９０分よりも短い請求項１の複合材料。
【請求項２２】
複合材料は、初期固化時間が約１〜約１２０分である請求項１の複合材料。
【請求項２３】
複合材料は、完全固化時間が約２〜約１８０分である請求項１の複合材料。
【請求項２４】
複合材料は、圧縮強度が約２５００ｐｓｉ以上である請求項１の複合材料。
【請求項２５】
実質的に不活性の充填材料をさらに含んでいる請求項１の複合材料。
【請求項２６】
実質的に不活性の充填材料は、砂、骨材、繊維、プラスチック、木及び／又は紙を含んでいる請求項２５の複合材料。
【請求項２７】
複合材料は、砂を約５〜約８０重量％含んでいる請求項１の複合材料。
【請求項２８】
複合材料は、繊維を約１〜約２５重量％含んでいる請求項１の複合材料。
【請求項２９】
繊維は、金属、ポリマー、ガラス、ｅ−ガラス及び／又はグラファイトを含んでいる請求項２８の複合材料。
【請求項３０】
請求項１の複合材料を含んでいる迅速補修用材料。
【請求項３１】
請求項１の複合材料を含んでいるプレキャスト構造。
【請求項３２】
請求項１の複合材料を含んでいるインサイチュー構造。
【請求項３３】
請求項１の複合材料を含んでいるコーティング。
【請求項３４】
請求項１の複合材料を含んでいるグラウト。
【請求項３５】
請求項１の複合材料を含んでいるアンカー接合材。
【請求項３６】
複合材料を製造するための混合物であって、金属酸化物、リン酸塩及び反応性残留物質を含んでいる混合物。
【請求項３７】
金属酸化物は、複数の金属酸化物組成物を含んでいる請求項３６の混合物。
【請求項３８】
リン酸塩は複数のリン酸塩組成物を含んでいる請求項３６の混合物。
【請求項３９】
金属酸化物は、ＭｇＯ、ＣａＯ、ＺｎＯ、ＴｉＯ２、Ａｌ２Ｏ３、ＳｉＯ２、酸化鉄、ＭｎＯ２及び／又はＢ２Ｏ３を含んでおり、リン酸塩は、リン酸一カリウム、リン酸一アンモニウム及び／又はリン酸一ナトリウムを含んでおり、反応性残留物質は、飛灰、石炭灰、ＣａＯしゅんせつ物、カルシウム含有物質、都市廃棄物灰、リン酸塩スラリー、汚泥灰、ブレーキシューダスト、火山灰、燃焼排ガス脱硫残留物及び／又は採鉱残留物質を含んでいる請求項３６の混合物。
【請求項４０】
混合物は充填材料をさらに含み、該充填材料は、混合物の約５〜約８０重量％である請求項３６の混合物。
【請求項４１】
充填材料は、砂、骨材、繊維、プラスチック、木及び／又は紙を含んでいる請求項４０の混合物。
【請求項４２】
金属酸化物は混合物の約５〜約５０重量％であり、リン酸塩は混合物の約５〜約５０重量％であり、反応性残留物質は混合物の約５〜約７０重量％である請求項４０の混合物。
【請求項４３】
金属酸化物、リン酸塩、反応性残留物質及び水との反応生成物を含んでいる迅速補修用材料。
【請求項４４】
金属酸化物は、ＭｇＯ、ＣａＯ、ＺｎＯ、ＴｉＯ２、Ａｌ２Ｏ３、ＳｉＯ２、酸化鉄、ＭｎＯ２及び／又はＢ２Ｏ３を含んでおり、リン酸塩は、リン酸一カリウム、リン酸一アンモニウム及び／又はリン酸一ナトリウムを含んでおり、反応性残留物質は、飛灰、石炭灰、ＣａＯしゅんせつ物、カルシウム含有物質、都市廃棄物灰、リン酸塩スラリー、汚泥灰、ブレーキシューダスト、火山灰、燃焼排ガス脱硫残留物及び／又は採鉱残留物質を含んでいる請求項４３の迅速補修用材料。
【請求項４５】
金属酸化物はＭｇＯを含み、リン酸塩はリン酸一カリウムを含んでいる請求項４３の迅速補修用材料。
【請求項４６】
反応性残留物質は飛灰、火山灰及び／又は都市固形廃棄物灰を含んでいる請求項４５の迅速補修用材料。
【請求項４７】
金属酸化物、リン酸塩及び反応性残留物質の合計量のうち、金属酸化物は約１０〜約３５重量％であり、リン酸塩は約１０〜約３５重量％であり、反応性残留物質は約１５〜約７０重量％である請求項４３の迅速補修用材料。
【請求項４８】
迅速補修用材料は、初期固化時間が約３０分よりも短い請求項４３の迅速補修用材料。
【請求項４９】
迅速補修用材料は、圧縮強度が１５００ｐｓｉ以上である請求項４３の迅速補修用材料。
【請求項５０】
金属酸化物、リン酸塩及び反応性残留物質の混合物を調製し、該混合物に水を加えることを含んでいる複合材料の製造方法。
【請求項５１】
金属酸化物は、ＭｇＯ、ＣａＯ、ＺｎＯ、ＴｉＯ２、Ａｌ２Ｏ３、ＳｉＯ２、酸化鉄、ＭｎＯ２及び／又はＢ２Ｏ３を含んでおり、リン酸塩は、リン酸一カリウム、リン酸一アンモニウム及び／又はリン酸一ナトリウムを含んでおり、反応性残留物質は、飛灰、石炭灰、ＣａＯしゅんせつ物、カルシウム含有物質、都市廃棄物灰、リン酸塩スラリー、汚泥灰、ブレーキシューダスト、火山灰、燃焼排ガス脱硫残留物及び／又は採鉱残留物質を含んでいる請求項５０の方法。
【請求項５２】
混合物の中で、金属酸化物は約５〜約５０重量％であり、リン酸塩は約５〜約５０重量％であり、反応性残留物質は約５〜約７０重量％である請求項５０の方法。
【請求項５３】
マグネシウム含有物質、リン酸塩、反応性残留物質及び水との反応生成物を含んでいる複合材料。
【請求項５４】
マグネシウム含有物質は、ＭｇＯ、Ｍｇ（ＯＨ）２、ＭｇＳＯ４及び／又はＭｇＣＯ３を含んでいる請求項５３の複合材料。
【請求項５５】
マグネシウム含有物質はＭｇＯを含んでいる請求項５３の複合材料。
【請求項５６】
金属酸化物、リン酸塩及び水との反応生成物を含み、金属酸化物の少なくとも一部及び／又はリン酸塩の少なくとも一部は反応性残留物質から得られる複合材料。
【請求項５７】
反応性残留物質は、ＭｇＯ又はリン酸塩の残留スラリーを含んでいる請求項５６の複合材料。
【請求項５８】
マグネシウム含有物質、リン酸塩及び水との反応生成物を含み、マグネシウム含有物質の少なくとも一部及び／又はリン酸塩の少なくとも一部は反応性残留物質から得られる複合材料。
【請求項５９】
マグネシウム含有物質は、ＭｇＯ、Ｍｇ（ＯＨ）２、ＭｇＳＯ４及び／又はＭｇＣＯ３を含んでいる請求項５８の複合材料。
【請求項６０】
マグネシウム含有物質はＭｇＯを含んでいる請求項５８の複合材料。
【請求項６１】
反応性残留物質は、ＭｇＯ又はリン酸塩の残留スラリーを含んでいる請求項５８の複合材料。